(57)【要約】ディスプレイ装置は、最大解像度を有するビデオ画面を含む。オペレーティングシステムは、ユーザがブラウザウィンドウ中でテキストを見る可能性を助けるために最大解像度で画面上にブラウザモードを生成する。ビデオドライバは、ビデオ画面の最大解像度に従ってブラウザウィンドウを配置しサイズを決め、ブラウザウィンドウがビデオ画面の最大解像度でサイズが決められることを許す。
2005524159.tif 000002
【特許請求の範囲】
【請求項１】
最大解像度を有する領域のディスプレイと、
ブラウザモードを生成するオペレーティングシステムと、
ブラウザウィンドウをビデオ画面の最大解像度に従って配置しサイズを決め前記ブラウザウィンドウが前記ビデオ画面上で最大のサイズとなることを可能とするビデオドライバとを有する、ディスプレイ装置。
【請求項２】
前記ブラウザウィンドウと共に少なくとも１つのビデオウィンドウが発生されるビデオモードを更に有する、請求項１記載のディスプレイ。
【請求項３】
前記ディスプレイ装置はテレビジョンである、請求項１記載のディスプレイ。
【請求項４】
ブラウザウィンドウモードと、ビデオウィンドウ及びブラウザウィンドウモードとの間での切換を可能とするトグル特徴を更に有する、請求項１記載のディスプレイ。
【請求項５】
前記ビデオドライバは、前記ブラウザウィンドウが開かれたときにビデオウィンドウの解像度を変更するスケーリングファクタを含む、請求項１記載のディスプレイ。
【請求項６】
前記ブラウザウィンドウは、前記ディスプレイの入力源の解像度を問わずに前記最大解像度で表示される、請求項１記載のディスプレイ。
【請求項７】
テレビジョン画面上での使用のためにウェブブラウザを開始する方法であって、
前記テレビジョン画面のブラウザモードを開始する段階と、
ブラウザウィンドウのために前記画面解像度を最大値へ変化させ、前記ブラウザウィンドウを前記値に従って最大サイズで表示する段階と、
前記テレビジョン画面上での前記ブラウザウィンドウのための位置を見つける段階とを有する、方法。
【請求項８】
前記画面解像度を値へ変更する段階は、前記画面解像度を前記テレビジョン画面を当てはめるのに利用可能な最大の可能な値へ変更することを含む、請求項７記載の方法。
【請求項９】
少なくとも１つのビデオウィンドウを与える段階と、前記ビデオウィンドウを前記値に従ってリサイズする段階とを更に有する、請求項７記載の方法。
【請求項１０】
前記リサイズする段階は、前記解像度を変更するのにスケーリングファクタを使用する段階を含む、請求項９記載の方法。
【請求項１１】
ブラウザ専用モードと、ビデオ及びブラウザモードとの間でトグルする段階を更に含む、請求項７記載の方法。
【請求項１２】
前記ブラウザはウェブブラウザを含み、前記方法は、前記ウェブブラウザを用いることによりネットワークと対話する段階を更に有する、請求項７記載の方法。
【請求項１３】
前記リサイズする段階は、ウィンドウ優先度に従って前記画面上で１つ又はそれ以上のウィンドウを位置決めする段階を含む、請求項７記載の方法。
【請求項１４】
前記優先度はユーザによって定義される、請求項７記載の方法。
【請求項１５】
画素の領域を有する領域のディスプレイと、
ブラウザウィンドウと、アスペクト比のビデオコンテンツを有するビデオウィンドウとを発生するオペレーティングシステムと、
ビデオ描出ドライバとを有し、
前記ビデオドライバは、ユーザ選択に応じて、ブラウザウィンドウのための最小のサイズに適合するようビデオウィンドウをリサイズし、
前記リサイズされたビデオウィンドウは、前記画素の領域の残る部分を占め、リサイズされたビデオウィンドウとブラウザウィンドウとを同時に描出するよう前記アスペクト比を維持する、ディスプレイ装置。
【請求項１６】
前記ビデオドライバは、前記ブラウザウィンドウの最小のサイズを維持するようリサイズされた第２のビデオウィンドウを適合させ、前記第２のウィンドウはビデオコンテンツが前記第２のウィンドウ中で描出されるためのアスペクト比を維持する、請求項１５記載のディスプレイ装置。
【発明の詳細な説明】
【技術分野】
【０００１】
本発明は、概してグラフィックユーザインタフェース技術に関連し、特にテレビジョンといったディスプレイ画面上での多数のウィンドウの表示のための解像度制御を与える方法及びシステムに関連する。
【背景技術】
【０００２】
ネットワーク技術が進歩するにつれ、オンラインビデオアプリケーションはますます使用されるようになってきた。インターネットといった通信ネットワークを通じて利用可能な多くのウェブサイト及びマルチメディア資源は、ユーザへのサービスとしてビデオクリップ又は生のビデオ供給を与える。ビデオ及びストリーミングコンテンツは、今日では、ユーザのディスプレイ画面又はテレビジョン画面上に容易に表示される。テレビジョン受像機といった、選択された解像度で一般的に画像を表示する装置では、表示される画像の解像度は最も望ましいものでないことがあり、又は装置の物理的な又はソフトウエアの限界によって予め決められている選択された画面解像度と両立しないものであることがある。より特定的には、予め選択された解像度で表示されるビデオは歪んで見えることがある。
【０００３】
現在のテレビジョン受像機は、ウェブブラウズ機能を含む場合が多い。これらのテレビジョン受像機は、ユーザがインターネット接続を通じてコンテンツを受信することが可能であるため、単なるチャンネル及び音声の選択を越えた対話性を与える。テレビジョン受像機をウェブブラウザディスプレイとして使用することの１つの不利点は、ビデオが一般的にはウェブブラウザと同時に表示されるため、ディスプレイ画面の解像度がテキストを可読とするのには不適切であることである。ウェブブラウザの解像度はテキストを可読に表示するには低すぎるため、表示される文字及び他のシンボルは、ウェブブラウザウィンドウ中で読むには困難な場合がある。
【発明の開示】
【発明が解決しようとする課題】
【０００４】
従って、ディスプレイ装置が多数の解像度を可能とする場合は、テレビジョンウェブブラウザのために出来る限り高い解像度を与えることが必要である。更に、利用可能な最善の画面解像度を用いてウェブブラウザ及びビデオウィンドウのサイズを決定し位置決めするシステムが必要である。
【課題を解決するための手段】
【０００５】
ディスプレイは、最大解像度を含む多数の解像度のための能力を有するビデオ画面を有する。オペレーティングシステムは、ユーザがブラウザウィンドウ中でテキストを見る可能性を助けるために、最大解像度で画面上にブラウザモードを生成する。ビデオドライバは、ブラウザウィンドウがビデオ画面上で最大のサイズとなるのを許すようビデオ画面の最大の解像度に従ってブラウザウィンドウの位置を決めサイズを決める。
【０００６】
テレビジョン画面上での使用のためにウェブブラウザを開始する方法は、テレビジョン画面のブラウザモードを開始し、ブラウザウィンドウのために画面解像度を最大値へ変化させ、ブラウザウィンドウを値に従って最大サイズで表示することを含む。ブラウザウィンドウについての位置は、テレビジョン画面上で決定される。
【発明を実施するための最良の形態】
【０００７】
本発明の利点、特性、及び様々な他の特徴については、添付の図面とともに以下に説明する例示的な実施例を考えることで、より明らかとなるであろう。本発明は、最大のビデオウィンドウ又はブラウザウィンドウサイズを生じさせる最大の利用可能な画面解像度を選択する方法及びシステムを提供する。１つの実施例では、ウェブブラウザアプリケーションモードがテレビジョン受像機ディスプレイ上で実行されるとき、本発明は、最大のブラウザウィンドウを設定するための最大画面解像度モードを選択する。更に、テレビジョン入力源に従った適当な画面解像度は、ウェブブラウザモードから離れるときはいつでも選択されうる。ビデオ源は、それら自身の解像度（又は源フォーマット）についての情報を含む。本発明は、ビデオ入力源フォーマット（解像度）に従って画面解像度を選択しうる。しかしながら、ブラウザが主ウィンドウとして表示され、ビデオがより小さいウィンドウとして表示されるとき、本発明は、ブラウザウィンドウのために望ましい画面解像度が選択されることを許し、望ましくはブラウザのために殆どのウィンドウ領域サイズを得るための最大解像度画面である。
【０００８】
本発明は、テレビジョンシステムに関連して説明されることが理解される。しかしながら、本発明は、はるかに広い範囲のものであり、ビデオを表示することが可能な如何なるディジタルマルチメディア装置をも含みうる。更に、本発明は、電話機、セットトップボックス、コンピュータ、衛星リンク等によって受信されるデータを含む如何なる入力方法にも適用可能である。また、図面に示される要素は、ハードウエア、ソフトウエア、又はそれらの組合せである様々な形で実現されうる。望ましくは、これらの要素は、プロセッサ、メモリ、及び入力／出力インタフェースを含みうる１つ又はそれ以上の適当にプログラムされた汎用装置中のハードウエア及びソフトウエアの組合せとして実現される。
【０００９】
ビデオデータ又はビデオコンテンツは、本願の目的では、ディスプレイ装置上にビデオとして描出されうる如何なる種類のデータも意味する。一般的には、かかるデータは、特定の領域のウィンドウ中で描出され、かかる領域はウィンドウの解像度として定義される。本願のために、やはり解像度を指す用語は、画面解像度、ディスプレイ解像度、及びウィンドウ解像度を含み、ビデオによって占められる画素の領域を指す。ウェブブラウザは、一般的には、ＨＴＭＬデータ及び／又は他の形のハイパーテキスト言語を含むビデオを描出する。任意には、かかるウェブブラウザは、ディスプレイ装置上にファイルとして、又は、インターネット、或いは他の種類の通信ネットワークからの様々な源から位置が見つけられるストリーミングメディアとして記憶されるビデオを描出する。
【００１０】
ここで、同様の参照番号が幾つかの図面を通じて同様の又は同一の要素を指す図面を特に参照して、また最初に図１を参照して、本発明の１つの実施例による例示的なテレビジョンシステム１０を示す。システム１０は、テレビジョンベースのシステムとして示されているが、異なるディスプレイ解像度に適応することが可能ないかなる種類のディスプレイ装置をも表わす。システム１０は、ディジタル画面、液晶ディスプレイ、蛍光画面、プラズマディスプレイ画面、又は任意の他の適当な技術の画面を含みうるテレビジョン１２を含む。テレビジョン１２は、望ましくは、従来技術で知られているように１つ又はそれ以上の電子部品を含む。テレビジョン１２は、望ましくは、メモリ１６を有するビデオ処理ユニット（例えばビデオカード）１４を含む。メモリ１６は、その中に格納された１つ又はそれ以上のソフトウエアコンポーネント１８を含む。ビデオドライバ２０及びこれをサポートするソフトウエアは、本発明を実現するために、ビデオウィンドウ属性を決定するために、及びビデオデータを描出するために用いられる。ビデオ描出ドライバ２０（複数であっても、そうでなくともよい）は、一般的には、ビデオユニット１４にどのようにビデオデータを描出するかを知らせるビデオ情報を含むソフトウエアコードとして実現される。テレビジョン１２は、ユーザにより選択されたサービスを提供するために、又は、ユーザが音声、チャンネル、色彩、コントラスト等のシステムパラメータを変更することを許すために、プログラムされ、及び、ユーザと対話しうるユーザインタフェース２２を含む。インタフェース２２は、遠隔制御装置又はボックスと、テレビジョン１２との間の無線又は有線のリンクを含みうる。
【００１１】
テレビジョン１２は、ビデオデータを受信することが可能なＲＣＡジャック、Ｉ−１３９４ポート、同軸ケーブル、光ファイバ接続、ＵＳＢポート等の１つ又はそれ以上の入力ポート２４を含む。入力ポート２４は、ビデオ画像として描出されることが可能な、ケーブル、電話、ワイヤレスブロードバンド、衛星、テレビジョン網といったワイヤレス網、インターネット、又は任意の他のデータ源からのデータを受信しうる。ビデオカード１４は、入力データを受信し、テレビジョン１２の画面２６上に画像を描出する。ビデオ画像を描出するための典型的な解像度は、ＡＴＳＣビデオ規格によれば、４８０ｐ、４８０ｉ、７２０ｐ、及び１０８０ｉと指定されるが、必要に応じて他のビデオ解像度が使用されうる。
【００１２】
テレビジョン動作及びウィンドウのサイズ決定は、望ましくは、オペレーティングシステム１５によって制御される。オペレーティングシステム１５は、如何なる公知のオペレーティングシステムを含んでもよく、メモリ１６中に格納されうる。
【００１３】
１つの実施例では、ユーザは、ウェブブラウザアプリケーション（ブラウザ）２３を有効とする。本発明によれば、ビデオ処理ユニット１４は、利用可能な最大の解像度又は所望であれば所定の解像度に従ってウェブブラウザウィンドウのサイズを自動的に決定するビデオドライバ２０を使用する。スケーリングファクタ２７は、ビデオ処理ユニット１４及びビデオドライバ２０による使用のためにウィンドウを拡張又は収縮するためのビデオ効果に基づく処理である。スケーリングファクタ２７は、ビデオ編集、及び他の種類のビデオウィンドウ操作のために用いられるビデオ効果と同様に実施される。特に、ウェブブラウザウィンドウは、選択された解像度に適合するよう適切なサイズに決められる。望ましい実施例では、ウェブブラウザウィンドウの画面解像度は、最大の利用可能な解像度に従ってサイズが決められる。最大の画面解像度は、例えば、１０８０ｉベースのビデオデータでは１２８０×１０８０（画素）でありうる。画面解像度は、特に、データ入力、ビデオ処理ユニットソフトウエア、又は画面の画素密度によって定義されうる。このようにして、ウェブブラウザウィンドウ２８は、ユーザがブラウザウィンドウを手動でリサイズする必要なしに、可読なテキストをユーザに与える。ビデオドライバ２０は、テレビジョンのための最高の利用可能な解像度又はユーザによって定義された予め選択された画面解像度に従ってブラウザのためのウィンドウのサイズを決定する。
【００１４】
更に、通常の視聴モードに戻るよう切り換えるとき、ビデオ処理ユニット１４は、更に、テレビジョン１２のための利用可能な最高の解像度に従って最善の画質のために視聴ウィンドウのサイズを決める。ユーザが異なるモードを選択すると、本発明は、画面上に配置されるべきグラフィックウィンドウの最善のサイズ及び配置を決定する。本発明は、ウィンドウの優先度を決定することにより画面上の１つ又はそれ以上のウィンドウの配置を考慮に入れうる。例えば、ユーザがブラウザモードをトリガすると、システムの可能な限り最善の解像度能力に従って可能な限り最大のサイズを有するブラウザウィンドウが開く。
【００１５】
例を続けると、次にピクチャ・イン・ピクチャ（ＰＩＰ）画面が開かれ、可能な限り最善の解像度に従って可能な限り最大のウィンドウが示されるが、所定の又はユーザによって選択された形態に従って２つのウィンドウが配置される。これは、最後に選択されたウィンドウを前景にしたウィンドウの重ね合わせ、又は、重ね合わせなしの分割画面を含みうる。いずれにしても、ウィンドウのサイズ及び配置は、その形態に対する可能な限り最善の解像度を与えることに従ったものとなる。
【００１６】
更に、表示されるべきウィンドウの種類は、更に、解像度及びディスプレイ画面中の利用可能な空間に優先順位を付けうる。ブラウザモード中のテキストは解読することが困難でありうるため、ウェブブラウザ又は他のテキストコンテンツウィンドウはビデオ画面に対して優先されうる。これは、画面空間が、ビデオ画面に適合する前にまずテキストコンテンツ画面のための最善の解像度を与えるのに使用されることを意味する。ウィンドウ解像度設定はまた、ユーザの好みに適合させるためにユーザによって選択されうる。
【００１７】
本発明は、異なるオン画面・グラフィック・ディスプレイ（ＯＳＤ）、並びに、異なる画面解像度に対するＰＩＰビデオサイズ及び位置情報に適合する。あるときは、画面解像度は全ての情報を単一の画面上に表示するのに十分でないことがあり、従って、複数の画像のうちの画像を単一の画面上に当てはめるために解像度の低下を決定するのが必要な場合がある。これらの場合、可能な限り最善の解像度は、可能な限り最大の解像度を単一の画面上に適合するよう調整される。
【００１８】
図２、図３、及び図４を参照するに、本発明による例示的な画面ショットに従って図面が示される。画面解像度制御は、本発明によって、１つ又は複数のウェブブラウザ画面及び／又はＰＩＰビデオをＴＶ上に表示するために与えられる。ウェブブラウザモードへ変わるとき、望ましくは、最大のウェブブラウザウィンドウサイズを得るための最大画面解像度が使用される。ＴＶ視聴モードへ戻るとき、画面解像度は、望ましくは入力源に最もよく合うものに変更される。図２乃至図４に示す例は、ウェブブラウザ１００とビデオウィンドウ１０２をＴＶ画面１０４上に同時に表示することを例示的に示す。図２乃至図４中、最大解像度は１９２０×１０８０でありえ、ブラウザ１００のサイズは１９２０×１０８０に調整される。ビデオウィンドウ１０２のビデオ解像度はこのサイズ内で選択されるが、（例えばスケーリングファクタ２７を調整することにより）ウィンドウサイズによって調整されても良い。他の解像度及びウィンドウサイズもまた考えられる。
【００１９】
図２中、ウェブブラウザ１００は、可能な限り最大の画面領域（可能な限り最大の解像度）を占め、一方でビデオウィンドウ１０２はその入力源に見合う解像度を含む。ビデオウィンドウ１０２は、ウェブブラウザ１００と同じビデオ解像度を含みうる。
【００２０】
図４は、画面１０４上で重なり合いなしに画面領域が与えられるときに最大の解像度を有効に与えるよう位置決めされたウェブブラウザ１００及びビデオウィンドウ１０２を含む。図３は、画面１０４のために全ての領域を占めるブラウザ専用画面１００を示す。本発明によれば、ビデオドライバは、ブラウザ専用画面（図３）とビデオウィンドウ／ブラウザ画面（図４）の間でトグルするオプションをユーザに許すために使用されうる。他のディスプレイの組合せ及びウィンドウもまた、本発明に従ってサイズが決められ位置決めされる。
【００２１】
本発明の更なる実施例は、本発明が表示されるコンテンツの２つの源をサポートし、一方のウィンドウが特定の解像度のビデオであり（１０２）、他方のウィンドウがウェブブラウザである（１００）という概念をサポートする。この実施例では、ビデオウィンドウ１０２は、テレビジョン１２によって表示されることが可能な最大解像度よりも低い意図される解像度を有する。ユーザがブラウザをアクティブとし、ブラウザウィンドウ１００の描出を生じさせると、テレビジョン１２は、サポートされる最大の画面解像度へ切り替わる。テレビジョン１２は、意図されるビデオ解像度のウィンドウ１０２中でビデオを描出し、ウェブブラウザは、ブラウザウィンドウ１００を介して、他のビデオウィンドウ１０２によって占められてない残りの領域中に描出される（図４参照）。
【００２２】
任意に、テレビジョン１２は、ブラウザウィンドウ１００中のテキストが可読に表示されることが可能であるかどうかを判定するためのチェックを行う。例えば、テレビジョン１２は、１２００×１０８０画素の最大画面解像度をサポートする。本例では、ビデオウィンドウ１０２は、７２０×５７６画素の領域内に表示される必要がある。ビデオドライバ２０は、ブラウザウィンドウ１００が、ビデオウィンドウ１０２と同時に、可読のテキストで表示されうるかどうかを判定するためにチェックを行う。本例では、ブラウザウィンドウ１００の最小のサイズは、ビデオドライバ２０によって決定されるように、可読のテキストを表示するよう定義される。この例のために、ブラウザウィンドウ２８が６４０×４８０画素の最小ウィンドウ領域をサポートせねばならないことが予め決められているが、ビデオドライバのプログラミングで予め決められているように、任意の最小領域が使用されうる（７２０×４８０、７２０×５７６、７２０×４８０等）。或いは、ビデオドライバ２０は、ブラウザウィンドウ１００中に表示されるべきフォントに対する最小のサイズを決定し、従って、ウィンドウは、ビデオドライバ２０のプログラミングで決められているように、最小のポイントサイズでフォントを表示する。
【００２３】
ビデオドライバ２０は、最終的には、ウィンドウを最小領域空間（６４０×４８０画素）に描出することによりブラウザウィンドウ１００に優先度を与える。ビデオウィンドウ１０２は、ビデオウィンドウ１０２内に示されるべきビデオコンテンツの元のアスペクト比を維持するスケーリングファクタによって縮小される。アスペクト比は、典型的には１６：９、４：３、５：４であり、また、他の比率である。本例では、ビデオウィンドウ１０２は、ビデオドライバ２０によって４８０×３８４画素（元のアスペクト比に対する１．２５の比率）へ縮小される。この計算は、装置の最大画面解像度（１２００×１０８０）を決定するビデオドライバ２０によって、ブラウザウィンドウ１００に要求される最小のウィンドウサイズについての要件を差し引くことにより行われる（水平方向に１２００−７２０＝４８０画素であるが、垂直方向もまた使用されうる）。決定された余り（４８０画素）を用いて、ビデオドライバ２０は、任意に、表示されたビデオの元のアスペクト比に従ってビデオウィンドウ１０２をスケーリングする。任意に、ビデオドライバ２０は、ビデオユニット１４の使用を介して、上述に列挙した操作を行うためにスケーリングファクタ２７を使用する。
【００２４】
この実施例は、多数のウィンドウを必要とするシステムに対して実行されてもよい。ディスプレイ装置の物理的な限界に依存して、この実施例は、２つ又はそれ以上のビデオのウィンドウ１０２及びブラウザウィンドウ１００をサポートするよう変更されうる。ビデウィンドウ又はブラウザウィンドウは、ビデオドライバ中のスケーリングファクタを使用すること、及び、ビデオドライバ２０によって決定される適切なスケーリングファクタに従って画像を再計算することによってサイズが決定されうる。
【００２５】
図５を参照するに（参照番号については図１乃至図４を参照）、ウェブブラウザを開始し、本発明の典型的な実施例に従ってブラウザ１００及びビデオウィンドウ１０２のサイズを決め位置決めすることについてのフローチャートを示す。ブロック２００中、ユーザは、テレビジョン受像機１２といったディスプレイ装置上に描出されたウェブブラウザアプリケーションを開始する。ウェブブラウザウィンドウ１００は、テレビジョン１２に対するユーザによって選択された設定に依存して自動的に開始されうる。ブロック２０２において、テレビジョン１２に対する画面解像度は、望ましくは、テレビジョン１２の能力及び設定に基づいてその最大値に設定される。例えば、テレビジョン１２が１０８０ｉ解像度が可能なものであれば、ブラウザウィンドウは、この画面解像度によって与えられる最大の量の画面領域を占める。これは、望ましくは、テレビジョン１２又はディスプレイ装置内のオペレーティングシステムにロードされ実行されるビデオドライバ２０によって実行される。
【００２６】
いったん解像度が決定されると、ウェブブラウザウィンドウ１０２は画面上に配置され、全画面サイズで描出され、テレビジョン画面１０４の全領域を占める。ブロック２０６中、最後の保存されたモードがブラウザ専用モードであったかどうかが判定される。ブロック２０８において、最後に保存されたモードがブラウザ専用モードであれば、ブラウザウィンドウ１００は、画面１０４を埋めるように配置されサイズが決められる。ウェブブラウザウィンドウ１００を配置することは、望ましくは、埋め込まれたビデオウィンドウを有するウェブブラウザの場合は、ウェブブラウザ１００のサイズ及び位置を決定すること、並びに、ビデオウィンドウ１０２のサイズ及び位置を決定することを含む。
【００２７】
ブロック２１０において、最後の保存されたモードがウィンドウの組合せ又はブラウザ専用モード以外であれば、ウィンドウの画面位置は、可能な限り最善の視聴解像度に従って、又は、ユーザの好みに従って、リサイズされ、配置される。例えば、ビデオウィンドウ１０２及びブラウザウィンドウ１００が同時に表示されている場合、図４に示されるような形態が表示されうる。ビデオウィンドウ１０２のためのビデオのリサイズは、ビデオをビデオウィンドウ中にスケーリングされたビデオとして表示するためにビデオドライバ中でビデオスケーリングファクタを再計算することを含みうる。これは、繰り返し、又は、条件的な規準に基づいて実行されうる。例えばビデオウィンドウのサイズを変更することが望まれている場合、スケーリングファクタはビデオウィンドウに対してリサイズされる。例えば、水平ビデオサイズが１／１０に減少されることが必要であれば、１／１０のスケーリングファクタが使用される。スケーリングファクタは、オン画面ウィンドウ又はブラウザに対して最も良い又はより良いウィンドウサイズを得るために再計算されうる。ブロック２１２中、ウェブブラウザウィンドウ１００は、例えばインターネットといったネットワークを通じてナビゲートするためにユーザインタフェースとして使用される。
【００２８】
ブラウザ及びビデオディスプレイのための解像度制御のための望ましい実施例（例示的なものであり、制限的なものではないことが意図される）を説明したが、ウェブブラウザウィンドウだけではなく、ビデオが描出される任意の種類のウィンドウを使用するよう変更及び変形がなされうることに留意されたい。かかる変更は、本発明の原理に従ってなされうる。
【図面の簡単な説明】
【００２９】
【図１】本発明によるブラウザ及びビデオウィンドウ解像度制御構成要素を示すシステム図である。
【図２】本発明によるブラウザ及びビデオウィンドウを示すシステム図である。
【図３】本発明によるブラウザ専用モードを示すシステム図である。
【図４】本発明による重なり合わない形態で当てはめられたブラウザ及びビデオウィンドウを示すシステム図である。
【図５】本発明によるブラウザアプリケーションの解像度制御を行うためのブロック図である。
【図１】
2005524159.tif 000003
【図２】
2005524159.tif 000004
【図３】
2005524159.tif 000005
【図４】
2005524159.tif 000006
【図５】
2005524159.tif 000007
【国際調査報告】
2005524159.tif 000008